(57)【要約】【課題】機械的制御により開閉体のスライドを制御し且つ耐久性の高いスライド式開閉体の挟み込み防止装置を提供する。【解決手段】スライド式開閉体の挟み込み防止装置１２は、固定枠２１と開閉体２２との間に配置され、ストッパー３１に第１可動体５が係合し時間遅れで第２可動体６が係合することで、開閉体２２が速いスライド速度で閉められる場合に固定枠２１に開閉体２２が当接するのを減速するか停止するかして規制する。時間遅れは、第１可動体５をストッパー３側（矢印Ｈ１方向）に係合するように付勢する第１付勢部材７１と、第２可動体６をストッパー３側（矢印Ｈ３方向）に係合するように付勢する第２付勢部材７２とが連携して時間遅れ生成部材７によって生成される。【選択図】図６
2008280676.tif 000002
【特許請求の範囲】
【請求項１】
固定枠と前記固定枠内をスライドする開閉体との間に設けられるスライド式開閉体の挟み込み防止装置であって、
前記固定枠又は前記開閉体のうちの少なくとも一方に保持されるストッパーと、
前記固定枠又は前記開閉体のうちの少なくとも他方に保持され、前記固定枠に前記開閉体が当接する前に前記ストッパーに係合し前記ストッパーから退避する方向に可動する第１可動体と、
前記固定枠又は前記開閉体のうちの少なくとも他方に保持され、前記第１可動体の前記係合後に時間遅れで前記ストッパーに係合して前記開閉体のスライドを規制する第２可動体と、
前記第１可動体と前記第２可動体との間に位置し、前記時間遅れを生成する時間遅れ生成部材と、
を有することを特徴とするスライド式開閉体の挟み込み防止装置。
【請求項２】
前記時間遅れ生成部材は、前記第１可動体を前記ストッパーと係合する方向に付勢する第１付勢部材と、前記第２可動体を前記ストッパーと係合する方向に付勢する第２付勢部材とを有し、前記第１付勢部材の一端が前記第２可動体に係合する請求項１に記載のスライド式開閉体の挟み込み防止装置。
【請求項３】
前記第１付勢部材の付勢力は、前記第２付勢部材の付勢力より強い請求項２に記載のスライド式開閉体の挟み込み防止装置。
【請求項４】
前記第２可動体を前記第２付勢部材を介して保持するブラケットを更に有し、
前記ブラケットは、前記第２付勢部材が伸張して回転する前記第２可動体の回転中心部が前記開閉体のスライド方向に沿って移動できる溝を有する請求項２又は３に記載のスライド式開閉体の挟み込み防止装置。
【請求項５】
前記ブラケットは、前記第２可動体の一部に当接する衝撃吸収部材を有する請求項４に記載のスライド式開閉体の挟み込み防止装置。
【請求項６】
前記ストッパーは、前記第１可動体が係合しスライド方向に対して傾斜している傾斜係合面と前記第２可動体が係合する荷重受係合面とを有し、
前記第１可動体が前記傾斜係合面に係合する通過ラインと前記第２可動体が前記荷重受係合面に係合する通過ラインとはスライド方向に沿って平行である請求項１〜５の何れかに記載のスライド式開閉体の挟み込み防止装置。
【請求項７】
前記ストッパーは、前記傾斜係合面の位置を前記スライド方向で荷重受係合面に対して変更できる位置調節部を有する請求項６に記載のスライド式開閉体の挟み込み防止装置。
【発明の詳細な説明】
【技術分野】
【０００１】
本発明は、玄関引き戸や引き違いサッシ等のようにスライドする戸や窓（開閉体）の開閉に係り、特に閉める時に指等の挟み込みを防止するスライド式開閉体の挟み込み防止装置に関する。
【背景技術】
【０００２】
従来から住宅の開口部には、スライドする型の引き戸や障子等（開閉体）が用いられており、引き違いサッシで開閉体が重なり合う部分や、開閉体と開口部の枠（固定枠）側との間で指等を挟むことがあった。近年、この開閉体が景観を良くするために大型化したり、防犯や断熱を重視したペアガラスにしたりする比率が高くなってきており、それに伴い開閉体の重量が増加している。そのため、指等を挟んだ場合の危険性が高くなってきている傾向がある。
【０００３】
指等の挟み込みを防ぐために、種々の技術が開発されており、例えば特許文献１では、２つの磁石をそれぞれ固定枠側と開閉体側とに取り付け、磁石の反発力を利用した技術が開示されている。この特許文献１の装置は、固定枠と開閉体との間で磁石が先端に取り付けられた棒状部材が固定枠側に設置されており、開閉体側に別の磁石が取り付けられており、開閉体をゆっくりと閉めれば２つの磁石が反発して棒状部材が開閉体が閉められるように退避でき、開閉体を速く閉めると磁石が反発できず棒状部材に開閉体が衝突し開閉体を止める仕組みである。
【特許文献１】特開平８−８２１５７号公報
【発明の開示】
【発明が解決しようとする課題】
【０００４】
しかし、上記特許文献１で用いられる磁石は衝突に弱く、且つ固定軸に直接荷重が加わるため、耐久性が低い。そして、磁石等の磁性体の磁束密度はバラツキが大きく、そのため上記作動のタイミングを調節すること、つまり開閉体をどの程度の速度で停止させるかを調節することが非常に困難であると想像できる。
【０００５】
本発明は、上記課題に鑑みてなされたもので、機械的制御により開閉体のスライドを制御し且つ耐久性の高いスライド式開閉体の挟み込み防止装置を提供することを解決すべき課題とする。
【課題を解決するための手段】
【０００６】
本発明のスライド式開閉体の挟み込み防止装置は、固定枠と前記固定枠内をスライドする開閉体との間に設けられるスライド式開閉体の挟み込み防止装置であって、前記固定枠又は前記開閉体のうちの少なくとも一方に保持されるストッパーと、前記固定枠又は前記開閉体のうちの少なくとも他方に保持され、前記固定枠に前記開閉体が当接する前に前記ストッパーに係合し前記ストッパーから退避する方向に可動する第１可動体と、前記固定枠又は前記開閉体のうちの少なくとも他方に保持され、前記第１可動体の前記係合後に時間遅れで前記ストッパーに係合して前記開閉体のスライドを規制する第２可動体と、前記第１可動体と前記第２可動体との間に位置し、前記時間遅れを生成する時間遅れ生成部材と、を有することを特徴とする。
【０００７】
本発明のスライド式開閉体の挟み込み防止装置によれば、固定枠に開閉体が当接する前にストッパーと第１可動体とが係合し、その後時間遅れで第２可動体がストッパーに係合して、開閉体のスライド速度を減速したり開閉体のスライドを停止したりして、開閉体のスライドを規制する。時間遅れは、第１可動体と第２可動体との間に位置する時間遅れ生成部材によって生成され、スライドが規制された開閉体は固定枠に当接できず、開閉体と固定枠との間で指等を挟み込み難くなる。
【０００８】
本発明のスライド式開閉体の挟み込み防止装置で用いられる前記時間遅れ生成部材は、前記第１可動体を前記ストッパーと係合する方向に付勢する第１付勢部材と、前記第２可動体を前記ストッパーと係合する方向に付勢する第２付勢部材とを有し、前記第１付勢部材の一端が前記第２可動体に係合することが好ましい。時間遅れ生成部材は２つの付勢部材からなり、第１付勢部材の一端が第２可動体に係合することで２つの付勢部材が連携し、時間遅れを生成する。これにより、第２可動体が開閉体のスライドを規制したり許可したりできる。このように、２つの付勢部材を連携させるだけの簡単な構成なので、機械的に制御し易い。
【０００９】
そして、第１付勢部材と第２付勢部材とは、第１付勢部材の付勢力が第２付勢部材の付勢力より強いことが好ましい。
【００１０】
本発明のスライド式開閉体の挟み込み防止装置は、前記第２可動体を前記第２付勢部材を介して保持するブラケットを更に有し、前記ブラケットは、前記第２付勢部材が伸張して回転する前記第２可動体の回転中心部が前記開閉体のスライド方向に沿って移動できる溝を有することが好ましい。第１可動体がストッパーから退避する方向に可動し、第２可動体を引っ張る第１付勢部材の力が第２付勢部材の付勢力より大きければ、第２可動体はストッパーから退避する方向に可動する。この第２可動体の可動は、回転中心部が中心である。よって、第２可動体がストッパーに係合した場合の衝突荷重を回転中心部と回転中心部が係合しているブラケットの溝の開閉体の進行方向側端部が受けることになる。そのため、第２可動体がストッパーに係合後、第２可動体の回転中心部が溝に沿って進行方向の逆方向に逃げられるので、回転中心部及び溝の端部への荷重負担を減らすことができる。これにより、第２可動体の回転中心部やそれを支持するブラケットの溝の破損が回避でき、耐久性の高い装置を提供できる。
【００１１】
更に、ブラケットは第２可動体がストッパーに係合し第２可動体の回転中心部が溝に沿って移動し逆方向に逃げた際、第２可動体がストッパーに係合した時の衝突荷重を第２可動体の一部に当接して吸収する衝撃吸収部材を有することが好ましい。これにより、逆方向に移動した第２可動体は衝撃吸収部材で衝突荷重を吸収され進行方向に戻り難くなり、衝撃吸収部材は回転中心部が溝の進行方向側の端部に跳ね返されるのを防げる。
【００１２】
本発明のスライド式開閉体の挟み込み防止装置で用いられる前記ストッパーは、前記第１可動体が係合しスライド方向に対して傾斜している傾斜係合面と前記第２可動体が係合する荷重受係合面とを有し、前記第１可動体が前記傾斜係合面に係合する通過ラインと前記第２可動体が前記荷重受係合面に係合する通過ラインとはスライド方向に沿って平行であることが好ましい。ストッパーの傾斜係合面がスライド方向に対して傾斜しているので、係合後第１可動体はストッパーから退避できる方向に可動でき、第１付勢部材の付勢力に反して第１付勢部材に荷重がかかる。そして、第１付勢部材が係合する第２可動体を時間遅れでストッパーから退避する方向に可動できる。また、第１可動体の通過ラインと第２可動体の通過ラインとをスライド方向に沿って平行にすることで、第１可動体が荷重受係合面には係合せず傾斜係合面に係合し、第２可動体が傾斜係合面に係合せず荷重受係合面に係合する。よって、第１可動体が傾斜係合面に係合後、時間遅れで第２可動体が荷重受係合面に係合できるので、開閉体のスライドを規制したり許可したりすることができる。
【００１３】
本発明のスライド式開閉体の挟み込み防止装置で用いられる前記ストッパーは、前記傾斜係合面の位置を前記スライド方向で荷重受係合面に対して変更できる位置調節部を有することが好ましい。位置調節部によって傾斜係合面のスライド方向の位置が調節されることで、傾斜係合面と荷重受係合面との距離がスライド方向で調節ができる。つまり、両面の距離の遠近により開閉体をどの程度のスライド速度で規制するかを設定できる。例えば、両面が近ければ近いほど開閉体の速度がより速い場合に開閉体のスライドが規制され、遠ければ遠いほど開閉体の速度がより遅い場合でも開閉体のスライドを規制する。この位置調節部による傾斜係合面の位置調節は、開閉体の種類や設置場所や設置状況等を考慮し、簡単に設定変更できるので非常に実用的である。
【発明の効果】
【００１４】
本発明のスライド式開閉体の挟み込み防止装置によれば、開閉体が閉じる方向へスライドする時、固定枠に開閉体が当接する前にストッパーと第１可動体とが係合し、その後時間遅れで第２可動体がストッパーに係合して開閉体のスライド速度を減速したり、開閉体のスライドを停止したりして、開閉体のスライドを規制するので、開閉体と固定枠との間で指等を挟み込み難い。
【００１５】
そして、第１可動体がストッパーに係合し、第２可動体がストッパーに係合するまでの時間遅れは、時間遅れ生成部材である第１付勢部材と第２付勢部材とが連携することで生成され、簡単な構成で機械的に制御し易い。
【００１６】
そして、本発明の装置は第２付勢部材を介して第２可動体を保持するブラケットを有し、そのブラケットに第２可動体の回転中心部を支持する溝が形成されている。この溝が開閉体がスライドする方向に沿って開口しているので、第２可動体とストッパーとが係合する際、第２可動体の回転中心部が溝を進行方向逆に移動でき、回転中心部と溝への荷重が緩和される。よって、第２可動体の回転中心部とそれを支持するブラケットの溝の破損が回避でき、耐久性の高い装置を提供できる。
【００１７】
更に、ブラケットが第２可動体の一部と当接し、第２可動体がストッパーに係合した際の衝突荷重を吸収する衝撃吸収部材を有することで、逆方向に移動した第２可動体は、衝撃吸収部材で衝突荷重を吸収され進行方向に戻り難くなり、溝の進行方向側の端部へ回転中心部が跳ね返るのを防げる
また、ストッパーは、スライド方向に対して傾斜している傾斜係合面を有しているので、第１可動体は傾斜係合面をスライドしてストッパーから退避できる方向に可動できる。更に、第２可動体が係合する荷重受係合面を有しているので、第２可動体が荷重受係合面に係合して開閉体の衝突の荷重を受ける。そして、開閉体のスライドにより第１可動体がストッパーを通過する通過ラインと第２可動体がストッパーを通過する通過ラインとをスライド方向に沿って平行にすることで、第１可動体が荷重受係合面には係合せず傾斜係合面に係合し、第２可動体が傾斜係合面に係合せず荷重受係合面に係合できる。これにより、第１可動体が傾斜係合面に係合後、時間遅れで第２可動体が荷重受係合面に係合できるので、開閉体のスライドを規制したり許可したりすることができる。
【００１８】
その上、本装置はストッパーが傾斜係合面の位置をスライド方向で変更できる位置調節部を有するので、傾斜係合面と荷重受係合面とのスライド方向の距離が変更できる。つまり、両面がより近くあるいはより遠くになるように設定でき、両面の距離により、開閉体をどの程度のスライド速度で規制するかの設定ができる。例えば、両面が近ければ近いほど開閉体がより速い速度で規制され、両面が遠ければ遠いほど開閉体がより遅い速度でも規制される。よって、開閉体の種類（大きさや重さ）、設置場所や設置状況等を考慮し、その都度設定を変更できるので、非常に実用的な指等の挟み込みを防止する装置を提供できる。
【発明を実施するための最良の形態】
【００１９】
本発明の実施形態に係るスライド式開閉体の挟み込み防止装置は、例えば住宅の玄関の引き戸や窓の引き違いサッシ等の横方向に沿ってスライドする玄関や窓の開閉可能な開口部に取り付けることができる。以下、開閉体を閉める場合について説明し、開口部を閉めるために開閉体がスライドする方向を「進行方向」とし、開閉体の進行方向とその逆方向の両方向を「スライド方向」とする。
【００２０】
（実施例１）
本実施例１のスライド式開閉体の挟み込み防止装置１１は、図１に示すように、固定枠２１と固定枠２１内で横方向にスライドする２つの開閉体２２のうちの左側の開閉体２２との間に取り付けられる。固定枠２１は、建物等の構造物に形成されている開口部の内周に設置される枠である。開閉体２２は固定枠２１内を図１において左右にスライドし、開閉体２２の左端が固定枠２１の一番左位置で開口部が閉められた状態を示し、右側にスライドすることで開口する。本実施例１のスライド式開閉体の挟み込み防止装置１１は、開閉体２２が閉められている図１において、上框２２１の左寄りに設置される。
【００２１】
本実施例１のスライド式開閉体の挟み込み防止装置１１は、ストッパー３と、ブラケット４と、第１可動体５と、第２可動体６と、時間遅れ生成部材７とを有する。
【００２２】
ストッパー３は、図２に示すように、固定枠２１の内周側に開閉体２２側に突出するように固定される。詳しくは、開閉体２２が閉められて固定枠２１と当接する側の上方で、固定枠２１に開閉体２２が当接して開閉体２２が閉めきられるより前に本実施例１の装置１１が機能できる位置である。左方向に開閉体２２をスライドさせて閉める場合は、固定枠２１の上框２２１の左寄りである。ストッパー３は、開閉体２２の進行方向に対して直状に傾斜している傾斜係合面３１１が形成されている可動ストッパー３１と、進行方向に対して垂直面になる荷重受係合面３２１が形成されている固定ストッパー３２とを有する。可動ストッパー３１は、固定ストッパー３２より進行方向側に位置する。そして、可動ストッパー３１と固定ストッパー３２とは、図５に示すように、開閉体２２（固定枠２１）の厚さ方向で各部が持つ面の位置が異なり、進行方向で両面が重ならないように固定枠２１に取り付けられる。図５において、手前側に可動ストッパー３１、奥側に固定ストッパー３２が取り付けられる。なお、可動ストッパー３１と固定ストッパー３２の厚さ方向での位置は、逆にして入れ替えても良い。
【００２３】
可動ストッパー３１は、傾斜係合面３１１の位置をスライド方向で変更して調節できる位置調節部３１２を更に有する。位置調節部３１２は、図５において上下方向に貫通し、スライド方向に沿った長孔状の開口部３１２ａと、開口部３１２ａを貫通して固定枠２１に可動ストッパー３１を固定するボルト３１２ｂとを有する。可動ストッパー３１をスライド方向に移動させ、ボルト３１２ｂで可動ストッパー３１を固定すれば、傾斜係合面３１１をスライド方向で任意の位置に設定できる。なお、位置調節部３１２は、開口部３１２ａが固定枠２１側ではなく固定ストッパー３２側に貫通し、固定ストッパー３２にボルト３１２ｂで固定されるものでも良い。
【００２４】
固定ストッパー３２は、２つのボルト３２２で固定枠２１に取り付けられる。
【００２５】
図２に戻って、ブラケット４は、開閉体２２の上方に固定され、後述する第２可動体６の回転中心部６１０が係合する回転支持部４１と、後述する時間遅れ生成部材７の第２ばね（第２付勢部材）７２の一端が係合する第１係合部４２と、後述する第２可動体の一部に当接し衝撃を吸収する衝撃吸収部材（図示略）とを有する。図２においては、ブラケット４の一部のみが示されている。
【００２６】
第１可動体５は、図２においての上下方向に延長された形状で、後述する時間遅れ生成部材７の第１ばね（第１付勢部材）７１の一端が係合される第２係合部５１１と、傾斜係合面３１１に係合し傾斜係合面３１１の傾斜角度とほぼ同じ傾斜角の直状の傾斜スライド部５１２とを有する。第１可動体５は、第１ばね７１（引っ張りばね）によって傾斜スライド部５１２が傾斜係合面３１１に係合する方向（上方向、矢印Ｈ１方向）に付勢されており、傾斜スライド部５１２のある上端部が開閉体２２の上框２２１の上端面より上方に突出している。そして、傾斜スライド部５１２が傾斜係合面３１１に係合後は第１可動体５がストッパー３から退避する方向（下方向、矢印Ｈ２方向）に可動する。
【００２７】
第２可動体６は、下方で進行方向に延長した端部に回転中心部６１０と、下方途中に第３係合部６１１及び第４係合部６１２と、進行方向逆側に固定枠２１側に延長され突出した上方に荷重受部６１３と、その反対面にブラケット当接部６１４とを有する。
【００２８】
回転中心部６１０は、ブラケット４の回転支持部４１に係合する。第３係合部６１１は、スライド方向の中央部分より進行方向寄りに位置し、後述する時間遅れ生成部材７の第１ばね７１の他端が係合する。第４係合部６１２は、第３係合部６１１より進行方向逆側に位置し、後述する時間遅れ生成部材７の第２ばね７２の他端が係合する。荷重受部６１３は、進行方向逆側の上方に位置し進行方向側に向いたスライド方向に対して垂直な面を有し、ストッパー３の固定ストッパー３２の荷重受係合面３２１に係合し、係合の際の衝撃を吸収する緩衝部材（図示略）が固設されている。ブラケット当接部６１４は、進行方向逆側の端面、つまり荷重受部６１３の反対側に位置し、ブラケット４の図示されていない衝撃吸収部材に当接する。
【００２９】
第２可動体６は、第２ばね７２によってストッパー３に係合する方向（矢印Ｈ３方向）に付勢され、荷重受部６１３が開閉体２２の上框２２１の上端面より上方に位置する。そして、回転中心部６１０を中心にブラケット当接部６１４が形成されている進行方向逆側が第２ばね７２の伸縮によって揺動する。
【００３０】
図５に示すように、第１可動体５の傾斜スライド部５１２は開閉体２２のスライドによって可動ストッパー３１をライン５１２Ｌで通過し、第２可動体６の荷重受部６１３は開閉体２２のスライドによって固定ストッパー３２をライン６１３Ｌで通過する。このライン５１２Ｌとライン６１３Ｌとは、スライド方向に沿って略平行である。つまり、傾斜スライド部５１２が荷重受部６１３より厚さ方向で手前側に位置する。このようにすることで、傾斜スライド部５１２は荷重受係合面３２１には係合せず傾斜係合面３１１に係合し、荷重受部６１３が荷重受係合面３２１に係合して第２可動体６が開閉体２２のスライドを規制できる。
【００３１】
時間遅れ生成部材７は、第１ばね（第１付勢部材）７１と第２ばね（第２付勢部材）７２とを有する。第１ばね７１は、一端が第２可動体６の第３係合部６１１に係合し、他端が第１可動体５の第２係合部５１１に係合し、第１可動体５をストッパー３に係合する方向（矢印Ｈ１方向）に付勢する引っ張りばねである。第２ばね７２は、一端がブラケット４の第１係合部４２に係合し、他端が第２可動体６の第４係合部６１２に係合し、第２可動体６をストッパー３に係合する方向（矢印Ｈ３方向）に付勢する引っ張りばねである。
【００３２】
第１ばね７１は第１可動体５の傾斜スライド部５１２がストッパー３の傾斜係合面３１１に係合し第１可動体５が矢印Ｈ２方向に可動するので伸張し、他端が係合している第２可動体６を矢印Ｈ４方向に引っ張る。第２ばね７２は、第２可動体６が矢印Ｈ４方向に可動することで伸張する。よって、第１ばね７１の付勢力が第２ばねの付勢力より強い。時間遅れ生成部材７は、第１ばね７１と第２ばね７２とをこのような構成にすることで、第１ばね７１が伸張してから第２ばね７２が伸張して、時間遅れを生成する。
【００３３】
次に、本実施例１のスライド式開閉体の挟み込み防止装置１１の動作について説明する。まず図２は、開閉体２２をスライドさせて開口部を閉めようとしている状態を表す図で、左方に開閉体２２をスライドさせている。この時、第１可動体５は第１ばね７１によって矢印Ｈ１方向に付勢されており、第２可動体６は第２ばね７２によって矢印Ｈ３方向に付勢されており、第１ばね７１と第２ばね７２とは釣り合いが取れている。
【００３４】
そして、開閉体２２が速く進行方向にスライドする（固定枠２１に開閉体２２が当接した際に固定枠２１と開閉体２２との間で指等を挟むと危険な速度）場合が図３に示されている。まず、第１可動体５の傾斜スライド部５１２がストッパー３の傾斜係合面３１１に係合する。傾斜係合面３１１は、開閉体２２の進行方向に対して傾斜しているので、傾斜スライド部５１２は傾斜係合面３１１をスライドし、第１可動体５は進行方向に移動しつつ下方向に下がる。そのため、第１可動体５に係合している第１ばね７１に荷重がかかり、第１ばね７１は第２可動体６を引っ張る。そして、第１ばね７１の荷重が第２ばね７２の付勢力より大きくなり、第２可動体６は回転中心部６１０を中心に進行方向とは逆側が右回りに回転し、矢印Ｈ４方向に可動する。しかし、開閉体２２のスライド速度が速く荷重受係合面３２１に荷重受部６１３が到達する時間が短ければ、荷重受部６１３が荷重受係合面３２１に時間遅れで係合する。そして、第２可動体６が進行方向の逆方向に跳ね返され、第２可動体６のブラケット当接部６１４がブラケット４の衝撃吸収部材に当接する。結果、第２可動体６の荷重受部６１３とブラケット４の衝撃吸収部材とで開閉体２２の衝突荷重を受け、ブラケット４に固定されている開閉体２２は進行方向にもその逆方向にもスライドできず停止する。
【００３５】
次に、開閉体２２がゆっくりと進行方向にスライドして閉められる場合が図４に示されている。まず、第１可動体５の傾斜スライド部５１２がストッパー３の傾斜係合面３１１に係合する。傾斜係合面３１１は、開閉体２２の進行方向に対して傾斜しているので、傾斜スライド部５１２は傾斜係合面３１１をスライドし、第１可動体５は進行方向に移動しつつ下方向に下がる。そのため、第１可動体５に係合している第１ばね７１に荷重がかかり、第１ばね７１は第２可動体６を引っ張る。そして、第１ばね７１の荷重が第２ばね７２の付勢力より大きくなり、第２可動体６は回転中心部６１０を中心に進行方向とは逆側が右回りに回転し、矢印Ｈ４方向に可動する。そして、第２可動体６の荷重受部６１３がストッパー３の荷重受係合面３２１に係合するまでの時間遅れより、開閉体２２のスライド速度が遅く荷重受係合面３２１に荷重受部６１３が到達する時間が長ければ、荷重受部６１３が荷重受係合面３２１に係合できないほど矢印Ｈ４方向に可動する（下がる）。よって、第１可動体５の傾斜スライド部５１２も最終的に可動ストッパー３１の傾斜係合面３１１から可動ストッパー３１の下方にスライドし、開閉体２２のスライドを停止させることなく開閉体２２は進行方向に進みきり、固定枠に当接して完全に閉めきられる。
【００３６】
本実施例１のスライド式開閉体の挟み込み防止装置１１によれば、固定枠２１に開閉体２２が当接する前にストッパー３の可動ストッパー３１の傾斜係合面３１１と第１可動体５の傾斜スライド部５１２とが係合後、開閉体２２のスライド速度が時間遅れ生成部材７の時間遅れで第２可動体６の荷重受部６１３がストッパー３の固定ストッパー３２の荷重受係合面３２１に係合して開閉体２２のスライド速度を減速したりスライドを停止したりして開閉体２２のスライドを規制するので、開閉体２２と固定枠２１との間で指等を挟み込み難い。
【００３７】
そして、時間遅れを生成する時間遅れ生成部材７は第１ばね７１と第２ばね７２とで構成され、ばねの付勢力を利用した簡単な機械的仕組みで、制御がし易い。
【００３８】
その上、ストッパー３が傾斜係合面３１１の位置をスライド方向で変更できる位置調節部３１２を有するので、傾斜係合面３１１と荷重受係合面３２１とのスライド方向の距離を調節できる。これにより、両面をより近距離に調節した場合は開閉体２２がより速い速度で規制されることになり、両面をより遠距離に調節した場合は開閉体２２がより遅い速度でも規制されるという調節が可能である。よって、開閉体２２の種類（大きさや重さ）、設置場所や設置状況等を考慮し、装置を設置する毎に調節できるので、非常に実用的な指等の挟み込みを防止する装置を提供できる。
【００３９】
（実施例２）
本実施例２のスライド式開閉体の挟み込み防止装置１２は、実施例１のスライド式開閉体の挟み込み防止装置１１の構成とほぼ同じで、第２可動体６をストッパー３に係合する方向に付勢する第２ばね７２の構成と、ブラケット４の構成が一部異なる。なお、実施例１と同様の構成については詳細な説明を省略する。
【００４０】
ブラケット４は、図６（ａ）及び図６（ｂ）に示すように、進行方向側に形成れている回転支持部４１から進行方向逆に延長された溝４３を更に有する。そして、ブラケット４の第１係合部４２が第２可動体６の第３係合部６１１より進行方向側に形成されているので、時間遅れ生成部材７の第２ばね７２が進行方向に対して斜めに取り付けられる構成になる。そのため、第２可動体６は溝４３の進行方向端部の回転支持部４１に当接される状態になる。
【００４１】
第１可動体５の傾斜スライド部５１２は円弧状である。傾斜スライド部５１２は、実施例１同様直状の傾斜面でも良く、ストッパー３の可動ストッパー３１の傾斜係合面３１１を移動できる形状ならば良い。そして、第２可動体６の回転中心部６１０は棒状部材で、ブラケット４に厚さ方向に橋設される。
【００４２】
図６（ａ）は、開閉体２２が速いスライド速度で進行方向にスライドした場合に、本実施例２のスライド式開閉体の挟み込み防止装置１２によって開閉体２２のスライドを停止させた状態を示している。図中、実線が第１可動体５の傾斜スライド部５１２がストッパー３の傾斜係合面３１１に係合する前を示し、係合後が２点破線で示されている。実施例１同様、開閉体２２のスライド速度が速く荷重受係合面３２１に荷重受部６１３が到達する時間が短ければ、傾斜スライド部５１２が傾斜係合面３１１に係合後、時間遅れ生成部材７による時間遅れで荷重受係合面３２１に荷重受部６１３が係合する。そして、第２可動体６が進行方向逆に跳ね返され、第２可動体６のブラケット当接部６１４がブラケット４の衝撃吸収部材４４に当接する。結果、荷重受部６１３と衝撃吸収部材４４とで開閉体２２の衝突荷重を受け、ブラケット４に固定されている開閉体２２は進行方向にもその逆方向にもスライドできず停止する。
【００４３】
そして、開閉体２２がゆっくりと進行方向にスライドした場合の状態が図７に示されている。図中、実線が第１可動体５の傾斜スライド部５１２がストッパー３の傾斜係合面３１１に係合する前を示し、係合後が２点破線で示されている。実施例１同様、第１可動体５の傾斜スライド部５１２がストッパー３の傾斜係合面３１１に係合後に時間遅れで第２可動体６の荷重受部６１３がストッパー３の荷重受係合面３２１する前に、第２可動体６が矢印Ｈ４方向に可動するので、荷重受部６１３と荷重受け係合面３２１とが係合しない。よって、第１可動体５の傾斜スライド部５１２も最終的に傾斜係合面３１１から可動ストッパー３１の下方にスライドし、開閉体２２のスライドを停止させることなく開閉体２２は進行方向に進みきり、固定枠に当接して完全に閉めきられる。
【００４４】
本実施例２のスライド式開閉体の挟み込み防止装置１２は、実施例１の装置１１の構成と第２ばね７２と溝４３とが異なることで、第２可動体６の荷重受部６１３がストッパー３の荷重受係合面３２１に係合した際の回転中心部６１０及び回転支持部４１が受ける衝突荷重を緩和することができる。つまり、回転中心部６１０が溝４３をスライド方向に沿って移動し、第２可動体６のブラケット当接部６１４がブラケット４の衝撃吸収部材４４に衝突することで、衝撃吸収部材４４が衝突荷重をより吸収できる。よって、回転中心部６１０と回転支持部４１への衝突荷重を減らすことができ、衝突荷重を受け易いため破損し易いこの箇所の破損率を低下させることができ、装置の耐久性を向上させることができる。
【図面の簡単な説明】
【００４５】
【図１】本実施例１のスライド式開閉体の挟み込み防止装置１１が窓などに設置されている状態を示す図である。
【図２】本実施例１のスライド式開閉体の挟み込み防止装置１１の概念図である。
【図３】本実施例１のスライド式開閉体の挟み込み防止装置１１が開閉体２２を規制する状態を示す概念図である。
【図４】本実施例１のスライド式開閉体の挟み込み防止装置１１が開閉体２２を規制しない状態を示す概念図である。
【図５】本実施例１のスライド式開閉体の挟み込み防止装置１１のストッパー３の斜視図である。
【図６】（ａ）は本実施例２のスライド式開閉体の挟み込み防止装置１２が開閉体２２を規制する状態を示す構成図であり、（ｂ）は（ａ）の下面図である。
【図７】本実施例２のスライド式開閉体の挟み込み防止装置１２が開閉体２２を規制しない状態を示す構成図である。
【符号の説明】
【００４６】
１１，１２：スライド式開閉体の挟み込み防止装置
２１：固定枠、２２：開閉体
３：ストッパー、３１：可動ストッパー、３１１：傾斜係合面、
３１２：位置調節部、３１２ａ：開口部、３１２ｂ：ボルト、
３２：固定ストッパー、３２１：荷重受係合面、３２２：ボルト、
４：ブラケット、４１：回転支持部、４２：第１係合部、４３：溝、
４４：衝撃吸収部材、
５：第１可動体、５１１：第２係合部、５１２：傾斜スライド部、
５１２Ｌ：ライン、
６：第２可動体、６１０：回転中心部、６１１：第３係合部、
６１２：第４係合部、６１３：荷重受部、６１３Ｌ：ライン、
６１４：ブラケット当接部、
７：時間遅れ生成部材、７１：第１ばね（第１付勢部材）、７２：第２ばね（第２付勢部材）。
【図１】
2008280676.tif 000003
【図２】
2008280676.tif 000004
【図３】
2008280676.tif 000005
【図４】
2008280676.tif 000006
【図５】
2008280676.tif 000007
【図６】
2008280676.tif 000008
【図７】
2008280676.tif 000009